(57)【特許請求の範囲】
【請求項１】
受信した地上デジタル放送波と基準信号とを混合して混合波とする混合部と、前記混合部から出力される混合波の平均電力を表示する平均電力表示部とを備え、
前記混合部は、地上デジタル放送波を受信する受信部と、負方向パルスと正方向パルスとからなる基準信号を発生する基準信号発生部と、前記基準信号発生部で発生された基準信号を測定対象のチャンネルで変調して変調基準信号とする変調部と、前記受信部で受信した地上デジタル放送波と前記変調部で変調された変調基準信号とを加算して混合信号を出力する加算部と含み、
前記平均電力表示部は、前記混合部から出力される混合信号を復調して復調信号とする復調部と、前記復調部で復調された復調信号の信号レベルの二乗平均値を算出する二乗平均値算出部と、前記二乗平均値算出部で算出された二乗平均値を表示する表示部とを含むことを特徴とする地上デジタル放送波用レベルチェッカ。
【請求項２】
前記混合部は、前記受信部と前記加算部との間に前記受信部で受信した地上デジタル放送波の前記混合部への供給を制御するスイッチ部を含むことを特徴とする請求項１に記載の地上デジタル放送波用レベルチェッカ。
【請求項３】
測定対象であるチャンネルの映像をモニタする映像モニタ部を備え、
前記映像モニタ部は、前記基準信号発生部で発生された基準信号に基づき波形切り出し信号と同期信号とからなるタイミング信号を発生するタイミング信号発生部と、前記タイミング信号発生部で発生された波形切り出し信号に基づき前記復調部で復調された復調信号の波形を切り出す波形切り出し部と、前記波形切り出し部で切り出された波形に前記タイミング信号発生部で発生された同期信号を付加してモニタ信号とする同期信号付加部と、前記同期信号付加部から出力されるモニタ信号をモニタ表示するモニタ部を含むことを特徴とする請求項１または２に記載の地上デジタル放送波用レベルチェッカ。
【発明の詳細な説明】
【０００１】
【発明の属する技術分野】
本発明は、レベルチェッカに係り、特に地上デジタル放送波の映像信号の信号レベルの測定に適したレベルチェッカに関する。
【０００２】
【従来の技術】
地上波テレビジョン放送については、多チャンネル化、インターラクティブ化に対応するため２００３年から順次デジタル化が進められる。
一般に受信環境は、受信した信号レベルで評価されるが、従来のアナログ放送波は映像信号近傍に電力が集中しているため、映像信号の尖頭値をスペクトラムアナライザあるいはレベルチェッカで測定することにより映像信号の信号レベルを測定することが可能であった。
【０００３】
しかし、地上デジタル放送においては、変調方法としてOFDM（直交周波数分割多重）変調が適用されるため、尖頭値に基づいて空中線電力を測定することはできない。
これは、地上デジタル放送では、現行の地上アナログ放送の１チャンネル分の周波数帯域（６MHｚ）を４２８．６ｋHzの周波数帯域を有する１４のセグメントに等分し、そのうち１３のセグメントに情報を重畳しているため、１チャンネル分の周波数帯域全体にわたってほぼ平坦な電力分布となるからである。
【０００４】
この結果、地上デジタル放送波の映像信号の信号レベルを測定するためには、地上デジタル放送波の強度を一つのチャンネルの全域にわたって積分して、そのチャンネル全域の総電力を求めてから、その平均値を算出する必要があった。
この課題を解決するために、地上デジタル放送波を二乗平均検波して得られた電圧に基づいて、地上デジタル放送波の映像信号の信号レベルを測定する電測器が知られている（例えば特許文献１参照）。
【０００５】
【特許文献１】
特開２０００−１６１８３号公報
【０００６】
【発明が解決しようとする課題】
しかしながら、上記従来の電測器にあっては、測定対象のチャンネルを選択するために帯域通過型RFフィルタが必要となるだけでなく、指示計を較正するために白色雑音発生器が必要となり、システムとして複雑となるという課題があった。
本発明は、上記のような課題を解決するためになされたものであって、簡易に地上デジタル放送波の信号レベルを測定することのできる地上デジタル放送波用レベルチェッカを提供することを目的とする。
【０００７】
【課題を解決するための手段】
本発明に係る地上デジタル放送波用レベルチェッカは、受信した地上デジタル放送波と基準信号とを混合して混合波とする混合部と、前記混合部から出力される混合波の平均電力を表示する平均電力表示部とを備え、前記混合部は、地上デジタル放送波を受信する受信部と、負方向パルスと正方向パルスとからなる基準信号を発生する基準信号発生部と、前記基準信号発生部で発生された基準信号で測定対象のチャンネルを変調して変調基準信号とする変調部と、前記受信部で受信した地上デジタル放送波と前記変調部で変調された変調基準基準信号とを加算して混合信号を出力する加算部と含み、前記平均電力表示部は、前記混合部から出力される混合信号を復調して復調信号とする復調部と、前記復調部で復調された復調信号の信号レベルの二乗平均値を算出する二乗平均値算出部と、前記二乗平均値算出部で算出された二乗平均値を表示する表示部とを含む。
この構成により、復調部に含まれるAGCにより利得補償されていない映像信号を復調できる。
【０００８】
本発明に係る地上デジタル放送波用レベルチェッカは、前記混合部は、前記受信部で受信した地上デジタル放送波の前記混合部への供給を制御するスイッチ部を含む。
この構成により、基準信号の強度の二乗平均値で表示部の表示値を較正することができる。
【０００９】
本発明に係る地上デジタル放送波用レベルチェッカは、測定対象であるチャンネルの映像をモニタする映像モニタ部を備え、前記映像モニタ部は、前記基準信号発生部で発生された基準信号に基づき波形切り出し信号と同期信号とを発生するタイミング信号発生部と、前記タイミング信号発生部で発生された波形切り出し信号に基づき前記復調部で復調された復調信号の波形を切り出す波形切り出し部と、前記波形切り出し部で切り出された波形に前記タイミング信号発生部で分離された同期信号を付加してモニタ信号とする同期信号付加部と、前記同期信号付加部から出力されるモニタ信号をモニタ表示するモニタ部を含む。
この構成により、信号レベル測定対象のチャンネルの映像信号に同期信号が付加されるので、そのチャンネルの映像をモニタすることができる。
【００１０】
【発明の実施の形態】
以下本発明の実施の形態について、図を参照して説明する。
図１は本発明の第一の実施の形態の地上デジタル放送波用レベルチェッカの構成図である。
すなわち、本発明の第一の実施の形態の地上デジタル放送波用レベルチェッカは、受信した地上デジタル放送波と基準信号とを混合して混合波とする混合部１０と、混合部１０から出力される混合波の平均電力を表示する平均電力表示部２０とを備える。
【００１１】
そして、混合部１０は、チャンネルの地上デジタル放送波を受信する受信部１１と、負方向パルスと正方向パルスとからなる基準信号を発生する基準信号発生部１２と、基準信号発生部１２で発生された基準信号で測定対象のチャンネルを変調して変調基準信号とする変調部１３と、受信部１１で受信した地上デジタル放送波と前記変調部１３で変調された基準信号とを加算して混合信号を出力する加算部１４とを含む。
さらに、平均電力表示部２０は、加算部１４から出力される混合信号を復調して復調信号とする復調部２１と、復調部２１で復調された復調信号の信号レベルの二乗平均値を算出する二乗平均値算出部２２と、二乗平均値算出部２２で算出された二乗平均値を表示する表示部２３とを含む。
【００１２】
図２は、本発明に係る地上デジタル放送波用レベルチェッカの動作説明図であって、受信部１１で図２（イ）に示す映像信号を有する地上デジタル放送波を受信する。
一方、基準信号発生部１２で、図２（ロ）に示す負方向パルスと正方向パルスとからなる基準信号が所定周期で発生される。
変調部１３において、基準信号発生部１２で発生された基準信号で測定対象チャンネルを変調し、図２（ハ）に示す変調基準信号が発生される。
【００１３】
そして、加算部１４において、受信部１１で受信した地上デジタル放送波と、変調部１３で変調された変調基準信号とが加算され、混合信号として出力される。
復調部２１は、混合信号を復調して、図２（ニ）に示す基準信号に測定対象チャンネルの映像信号が重畳した復調信号を出力する。
【００１４】
復調部２１にはAGC（自動利得制御回路）が組み込まれていることが一般的であり、受信波の強度に応じて自動的に利得が調整され、一定強度の復調信号が出力されるようになっている。したがって、地上デジタル放送波の映像信号の信号レベルを測定するときにAGCが機能すると正確な受信波の信号レベルの測定は不可能となるため、信号レベル測定時にはAGCが動作しないようにすることが必要となる。
そこで、本発明では、基準信号に含まれる正方向パルスの振幅を地上デジタル放送波の振幅よりも大きく設定してAGCの動作を禁止し、信号強度の測定対象チャンネルの映像信号に対してはAGCが作用しないようにしている。
【００１５】
二乗平均値算出部２２は、復調信号を検波することにより復調信号の信号レベルの二乗平均値を出力するが、この二乗平均値は測定対象チャンネルの映像信号の信号レベルの関数値となる。
したがって、表示部２３において、二乗平均値をアナログ表示またはデジタル表示することにより、地上デジタル放送波の信号レベルを測定することが可能となる。
【００１６】
以上のように、本発明の第一の実施形態の地上デジタル放送波用レベルチェッカは、基準信号発生部１２で発生された正方向パルスが測定対象の映像信号に加算されるので、復調部２１において測定対象の映像信号がAGCにより利得補償されることが禁止され、測定対象の映像信号レベルを知ることができる。
【００１７】
しかし、表示部２３に正確な信号レベルを表示するためには、基準信号の信号レベルを表示部２３の零点に較正することが必要となる。
このため、第二の実施の形態の地上デジタル放送波用レベルチェッカは、図３に示すように、混合部１０は、受信部１１と加算部１４の間に受信部１１で受信した地上デジタル放送波の加算部１４への供給を制御するスイッチ１５を含む。
【００１８】
以下、第二の実施の形態の地上デジタル放送波用レベルチェッカにより信号レベルを測定する手順を、図４を参照しつつ説明する。
まず、ステップS４１において、混合部１０の受信部１１と加算部１４の間に設けられたスイッチ１５を開状態とし、地上デジタル放送波が加算部１４に供給されない状態とする。
ステップS４２で基準信号を発生し、ステップS４３でこのときの表示部２３の表示値を「零」に設定する。これは、地上デジタル放送波の映像信号の信号レベルの測定に際し、基準信号自体の信号レベルを差し引くためである。なお、変調部１３のチャンネルは適宜に設定すればよい。
【００１９】
つぎに、ステップS４４でスイッチ１５を閉状態とし、地上デジタル放送波が加算部１４に供給される状態とする。
そして、ステップS４５で変調部１３を、測定しようとするチャンネルに設定し、ステップS４６で基準信号を発生する。
ステップS３７で表示部２３の表示値を読み取ることにより、そのチャンネルの映像信号の信号レベルを測定することができる。
【００２０】
なお、ステップS４５において、変調周波数を実際には使用されていない空きチャンネルに設定すれば、背景雑音のレベルを測定することも可能である。
これにより、実際に地上デジタル放送に使用されているチャンネルの信号レベルと、背景雑音のレベルとの比をとることにより、そのチャンネルの信号雑音比（SN比）を測定することも可能となる。
【００２１】
以上のように、本発明の第二の実施形態の地上デジタル放送波用レベルチェッカは、受信部１１と加算部１４との間に受信部１１で受信した地上デジタル放送波の加算部１４への供給を制御するスイッチ１５を設けたので、スイッチを開状態としたときの基準波の信号レベルの二乗平均値を表示部で零に設定することにより、基準波の信号レベルの影響を排除することができる。
【００２２】
図５は本発明の第三の実施の形態の地上デジタル放送波用レベルチェッカの構成図である。
すなわち、本発明の第三の実施の形態の地上デジタル放送波用レベルチェッカは、第一または第二の実施の形態の地上デジタル放送波用レベルチェッカに、映像モニタ部５０が追加されている。
【００２３】
そして、映像モニタ部５０は、前記基準信号発生部１２で発生された基準信号に基づいて波形切り出し信号と同期信号とからなるタイミング信号を発生するタイミング信号発生部５１と、タイミング信号発生部５１で発生された波形切り出し信号に基づき復調部２１で復調された復調信号の波形を切り出す波形切り出し部５２と、波形切り出し部５２で切り出された波形にタイミング信号発生部５１で発生された同期信号を付加してモニタ信号とする同期信号付加部５３と、同期信号付加部５３から出力されるモニタ信号をモニタ表示するモニタ部５４を備える。
【００２４】
以下映像モニタ部５０の動作を、図２を参照しつつ説明する。
タイミング信号発生部５１では、図２（ロ）に示す基準信号に基づいて、図２（ホ）に示す波形切り出し信号と図２（ト）に示す同期信号とが生成される。
すなわち、波形切り出し信号は、基準信号の負方向パルスの立下りから第一の所定時間（τ）後に立ち上がり、その後第二の所定時間後に立ち下がる信号であり、同期信号は、基準信号の負方向パルスそのものである。
【００２５】
波形切り出し部５２では、復調部２１から出力される復調信号をタイミング信号発生部５１で生成される切り出し信号で切り出して、図２（ヘ）に示す表示信号を生成する。
同期信号付加部５３では、波形切り出し部５２で生成された表示信号にタイミング信号発生部５１で生成された同期信号が付加され、図２（チ）に示すモニタ信号が生成される。
【００２６】
このモニタ信号がモニタ部５４に伝送され、映像として表示される。
以上のように、本発明の第三の実施形態の地上デジタル放送波用レベルチェッカは、第一または第二の実施の形態の地上デジタル放送波用レベルチェッカに映像モニタ部５０が追加されているので、映像をモニタしつつ信号レベルを測定することができる。
【００２７】
【発明の効果】
以上説明したように、本発明は、簡易な構成で地上デジタル放送波の映像信号の信号レベルを測定することのできる地上デジタル放送波用レベルチェッカを提供することができるものである。
【図面の簡単な説明】
【図１】本発明の第一の実施の形態の地上デジタル放送波用レベルチェッカの構成図である。
【図２】本発明に係る地上デジタル放送波用レベルチェッカの動作説明図である。
【図３】本発明の第二の実施の形態の地上デジタル放送波用レベルチェッカの構成図である。
【図４】本発明に係る地上デジタル放送波用レベルチェッカによる信号レベルの測定手順の説明図である。
【図５】本発明の第三の実施の形態の地上デジタル放送波用レベルチェッカの構成図である。
【符号の説明】
１０  混合部
１１  受信部
１２  基準信号発生部
１３  変調部
１４  加算部
１５  スイッチ
２０  平均電力表示部
２１  復調部
２２  二乗平均値算出部
２３  表示部
５０  映像モニタ部
５１  タイミング信号発生部
５２  波形切り出し部
５３  同期信号付加部
５４  モニタ部
【図１】
0003696601.tif 000002
【図２】
0003696601.tif 000003
【図３】
0003696601.tif 000004
【図４】
0003696601.tif 000005
【図５】
0003696601.tif 000006